(57)【要約】      （修正有）【課題】使用勝手が向上した糞収納袋、ペットの糞の回収方法及び嘔吐袋を提供する。【解決手段】糞収納袋Ｐは、袋４と、この袋４の開口縁部に沿って形成された環状の通路５と、この通路５に設けた帯状部材６とを備え、帯状部材６で袋４の開口部を保持するものである。【選択図】図１
2019092399.tif 000002
【特許請求の範囲】
【請求項１】
袋と、
この袋の開口縁部に沿って形成された通路と、
この通路に設けた帯状部材とを備え、
前記帯状部材で前記袋の開口部を保持する
ことを特徴とする糞収納袋。
【請求項２】
袋の開口縁部を外側に折り曲げて形成された折り曲げ部と、この折り曲げ部に対向する前記袋の対向部位との間で通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項３】
袋の開口縁部を外側に折り曲げて形成された折り曲げ部と、この折り曲げ部に対向する前記袋の対向部位とを接着して通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項４】
通路の中途に帯状部材の一端を外方に導く帯状部材中途出口を設けた
ことを特徴とする請求項２又は請求項３記載の糞収納袋。
【請求項５】
帯状部材は結束バンドであり、
前記結束バンドは、前記結束バンドの挿通を許容するが、逆方向への動きを禁止する係止爪を有するものか、
又は、
前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
請求項１〜請求項４の何れかに記載の糞収納袋。
【請求項６】
袋と、
この袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側に設けられ、前記帯状部材にスリットが設けられ、
前記帯状部材の一方の端部をこのスリットに通し、前記帯状部材の一方の端部を引っ張り、この引っ張りを解除した位置で前記帯状部材が前記スリットに摩擦により係止するものであり、
前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記スリットに摩擦により係止させる
ことを特徴とする糞収納袋。
【請求項７】
袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側にあって、前記帯状部材にスリットが設けられ、
前記帯状部材の一方の端部を前記スリットに通し、前記帯状部材の一方の端部を引っ張り、この引っ張りを解除した位置で前記帯状部材が前記スリットに摩擦により係止するものであり、
前記帯状部材により保持された前記袋及び前記紙製の袋の開口部をペットの肛門の下方位置に置き、
前記紙製の袋に糞が収納された後、前記袋及び前記紙製の袋の開口部が閉じるように前記帯状部材の一方の端部を引っ張り、この引っ張りを解除した位置で前記スリットに前記帯状部材を摩擦により係止させる
ことを特徴とする糞収納袋。
【請求項８】
袋と、
この袋の開口縁部に沿って形成された通路と、
この通路に設けた帯状部材と、
前記帯状部材で前記袋の開口部を保持する糞収納袋を備え、
前記通路より外側に位置する前記帯状部材の部位を手で把持して、前記開口部をペットの糞の落下予想位置に置き、前記糞を前記袋内に回収する
ことを特徴とするペットの糞の回収方法。
【請求項９】
回収後、帯状部材を引っ張って、開口部を閉じるようにする
ことを特徴とする請求項８記載のペットの糞の回収方法。
【請求項１０】
袋と、
この袋の開口縁部に沿って形成された通路と、
この通路に設けた帯状部材とを備え、
前記帯状部材で前記袋の開口部を保持する
ことを特徴とする嘔吐袋。
【発明の詳細な説明】
【技術分野】
【０００１】
本発明は、糞収納袋、ペットの糞の回収方法及び嘔吐袋に係り、特に、使用勝手が向上した糞収納袋、ペットの糞の回収方法及び嘔吐袋に関する。
【背景技術】
【０００２】
片手で犬の糞を容易に回収できるようにした犬の糞回収袋がある（例えば、特許文献１参照）。
これは、回収袋を裏返すと共に歯が連動して動き、犬の糞を回収袋の中に押し込むようにして、回収している。
【先行技術文献】
【特許文献】
【０００３】
【特許文献１】特開２００３−２８９７３９号公報
【発明の概要】
【発明が解決しようとする課題】
【０００４】
そのため、糞の落下場所（例えば、道路）を汚してしまい、使用勝手が良好でないという問題点があった。
【０００５】
本発明は、上記問題点を考慮してなされた使用勝手が向上した糞収納袋、ペットの糞の回収方法を提供することを目的とする。
また、本発明は、使用勝手が向上した嘔吐袋を提供することを目的とする。
【課題を解決するための手段】
【０００６】
請求項１記載の糞収納袋は、袋と、この袋の開口縁部に沿って形成された通路と、この通路に設けた帯状部材とを備え、前記帯状部材で前記袋の開口部を保持するものである。
【０００７】
また、請求項２記載の糞収納袋は、請求項１記載の糞収納袋において、袋の開口縁部を外側に折り曲げて形成された折り曲げ部と、この折り曲げ部に対向する前記袋の対向部位との間で通路は形成され、前記通路に帯状部材を挿入する帯状部材挿入口と前記帯状部材を外部へ導く帯状部材出口を設け、前記通路より外側に位置する前記帯状部材の部位を手で把持するものである。
【０００８】
また、請求項３記載の糞収納袋は、請求項１記載の糞収納袋において、 袋の開口縁部を外側に折り曲げて形成された折り曲げ部と、この折り曲げ部に対向する前記袋の対向部位とを接着して通路は形成され、前記通路に帯状部材を挿入する帯状部材挿入口と前記帯状部材を外部へ導く帯状部材出口を設け、前記通路より外側に位置する前記帯状部材の部位を手で把持するものである。
【０００９】
また、請求項４記載の糞収納袋は、請求項２又は請求項３記載の糞収納袋において、通路の中途に帯状部材の一端を外方に導く帯状部材中途出口を設けたものである。
【００１０】
また、請求項５記載の糞収納袋は、請求項１〜請求項４の何れかに記載の糞収納袋において、帯状部材は結束バンドであり、前記結束バンドは、前記結束バンドの挿通を許容するが、逆方向への動きを禁止する係止爪を有するものか、又は、前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである。
【００１１】
また、請求項６記載の糞収納袋は、袋と、この袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側に設けられ、前記帯状部材にスリットが設けられ、前記帯状部材の一方の端部をこのスリットに通し、前記帯状部材の一方の端部を引っ張り、この引っ張りを解除した位置で前記帯状部材が前記スリットに摩擦により係止するものであり、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記スリットに摩擦により係止させるものである。
【００１２】
また、請求項７記載の糞収納袋は、袋と、この袋の内側に位置した紙製の袋と、前記袋及び前記紙製の袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側にあって、前記帯状部材にスリットが設けられ、前記帯状部材の一方の端部を前記スリットに通し、前記帯状部材の一方の端部を引っ張り、この引っ張りを解除した位置で前記帯状部材が前記スリットに摩擦により係止するものであり、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記スリットに前記帯状部材を摩擦により係止させるものである。
【００１３】
また、請求項８記載のペットの糞の回収方法は、袋と、この袋の開口縁部に沿って形成された通路と、この通路に設けた帯状部材と、前記帯状部材で前記袋の開口部を保持する糞収納袋を備え、前記通路より外側に位置する前記帯状部材の部位を手で把持して、前記開口部をペットの糞の落下予想位置に置き、前記糞を前記袋内に回収するものである。
【００１４】
また、請求項９記載のペットの糞の回収方法は、請求項８記載のペットの糞の回収方法において、回収後、帯状部材を引っ張って、開口部を閉じるようにするものである。
【００１５】
また、請求項１０記載の嘔吐袋は、袋と、この袋の開口縁部に沿って形成された通路と、この通路に設けた帯状部材とを備え、前記帯状部材で前記袋の開口部を保持するるものである。
【発明の効果】
【００１６】
請求項１記載の糞収納袋によれば、帯状部材により保持された袋の開口部をペットの糞の落下予想位置（ペットの肛門の下方）に置き、糞を袋内に回収することができるため、糞の落下場所を汚さないで、糞を回収して使用勝手の良好な糞収納袋を得ることができる。
【００１７】
また、請求項２記載の糞収納袋によれば、上述した請求項１記載の発明の効果に加え、袋の開口縁部を外側に折り曲げて形成された折り曲げ部と、この折り曲げ部に対向する前記袋の対向部位との間で通路は形成され、前記通路に帯状部材を挿入する帯状部材挿入口と前記帯状部材を外部へ導く帯状部材出口を設けたため、簡易に糞収納袋を作ることができ、しかも、通路より外側に位置する帯状部材の部位を手で把持するため、帯状部材によりペットの糞の落下予想位置を確保でき、使用勝手を向上させることができる。
【００１８】
また、請求項３記載の糞収納袋によれば、上述した請求項１記載の発明の効果に加え、袋の開口縁部を外側に折り曲げて形成された折り曲げ部と、この折り曲げ部に対向する前記袋の対向部位とを接着して通路は形成され、前記通路に帯状部材を挿入する帯状部材挿入口と前記帯状部材を外部へ導く帯状部材出口を設けたため、簡易に糞収納袋を作ることができ、しかも、通路より外側に位置する帯状部材の部位を手で把持するため、帯状部材によりペットの糞の落下予想位置を確保でき、使用勝手を向上させることができる。
【００１９】
また、請求項４記載の糞収納袋によれば、上述した請求項２又は請求項３記載の発明の効果に加え、通路の中途に帯状部材の一端を外方に導く帯状部材中途出口を設けたため、通路内に帯状部材を容易に設けることができる。
【００２０】
また、請求項５記載の糞収納袋によれば、上述した請求項１〜請求項４の何れかに記載の発明の効果に加え、締め付けのみの市販の結束バンド、又は、締め付けたり、開放状態にしたりすることが可能な市販の結束バンドを利用して、簡易に糞収納袋を作ることができる。
【００２１】
また、請求項６記載の糞収納袋によれば、帯状部材により保持された袋の開口部をペットの糞の落下位置に置き、袋に糞が収納された後、袋の開口部が閉じるように前記帯状部材の一方の端部を引っ張り、この引っ張りを解除した位置で前記スリットに前記帯状部材を摩擦により係止させるため、糞の落下場所を汚さないで、糞を回収して使用勝手の良好な糞収納袋を得ることができる。
【００２２】
また、請求項７記載の糞収納袋によれば、帯状部材により保持された袋及び紙製の袋の開口部をペットの肛門の下方（ペットの糞の落下予想位置）に置き、紙製の袋に糞が収納された後、袋及び紙製の袋の開口部が閉じるように帯状部材の一方の端部を引っ張り、この引っ張りを解除した位置で帯状部材をスリットに摩擦により係止させるため、糞の落下場所を汚さないで、糞を回収して使用勝手の良好な糞収納袋を得ることができることは勿論のこと、糞の回収後、 袋から糞が入った紙製の袋を簡易且つ迅速に分離することができ、場合によっては、糞が入った紙製の袋をトイレに流して処理することができる使用勝手の良好な糞収納袋を得ることができる。
【００２３】
また、請求項８記載のペットの糞の回収方法によれば、通路より外側に位置する帯状部材の部位を手で把持するため、帯状部材によりペットの肛門の下方位置（ペットの糞の落下予想位置）を確保でき、しかも、通路より外側に位置する帯状部材の部位を手で把持して、帯状部材により保持された袋の開口部をペットの糞の落下位置に置き、糞を袋内に回収することができるため、糞の落下場所を汚さないで、糞を回収することができる。
【００２４】
また、請求項９記載のペットの糞の回収方法によれば、上述した請求項８記載の発明の効果に加え、回収後、帯状部材を引っ張って、開口部を閉じるようにするため、糞の臭いを袋内に閉じ込めることができる。
【００２５】
また、請求項１０記載の嘔吐袋によれば、帯状部材により保持された袋の開口部を口にあてがいやすく、嘔吐物を袋内に回収することができる使用勝手の良好な嘔吐袋を得ることができる。
【図面の簡単な説明】
【００２６】
【図１】図１は、本発明の一実施例の糞収納袋が開いた状態の概略的斜視図である。
【図２】図２は、図１の糞収納袋の使用態様の一例を示す写真である。
【図３】図３は、図２の通路の中途に設けた帯状部材中途出口の部位を示す写真である。
【図４】図４は、図１と異なる他の実施例の糞収納袋の概略的斜視図であり、図４（ａ）は糞収納袋が開いた状態の概略的斜視図であり、図４（ｂ）は図４（ａ）の糞収納袋が閉じた状態の概略的斜視図である。
【図５】図５（ａ）は、図４（ａ）の帯状部材の概略的斜視図であり、図５（ｂ）は、図４（ｂ）の帯状部材の概略的斜視図である。
【発明を実施するための形態】
【００２７】
本発明の一実施例の糞収納袋及びペットの糞の回収方法を図面（図１乃至図３）を参照して説明する。
図１に示すＰは、袋４と、この袋４の開口縁部に沿って形成された通路（例えば、環状の通路又は、帯状部材収納部）５と、この通路５に設けた帯状部材６とを備えている。
そして、帯状部材６で袋４の開口部を保持している（図２及び図３参照）。例えば、図２に示すように、通路５より外側に位置する帯状部材６の部位（例えば、６Ａ）を手で把持することができる。
帯状部材６は、例えば、ポリプロピレン樹脂等で形成された梱包等で使用される包装バンド（ＰＰバンド）、結束バンド等である。
なお、結束バンドは、前記結束バンドの挿通を許容するが、逆方向への動きを禁止する係止爪を有するもの、 又は、前記結束バンドの挿通を許容するが、逆方向への動きを禁止する係止爪を有したロック機能を備えると共に、前記ロック機能を解除して前記逆方向の移動を許容するロック解除機能を備えるものであり、前記結束バンドは、市販の結束バンドを利用することができる。
【００２８】
上述した、糞収納袋Ｐによれば、帯状部材６により保持された袋４の開口部をペットの糞の落下位置に置き、糞を袋４内に回収することができるため、糞の落下場所を汚さないで、糞を回収して使用勝手の良好な糞収納袋Ｐを得ることができる。
そして、ペットの糞の回収方法は、糞収納袋Ｐの通路５より外側に位置する帯状部材６の部位を手で把持して、袋４の開口部をペットの糞の落下予想位置（ペットの肛門の下方）に置き、前記糞を袋４内に回収するものである。回収後、帯状部材６を引っ張って、袋４の開口部を閉じるようにするものである。袋４の開口部を閉じるようにするため、糞の臭いを袋４内に閉じ込めることができる。
【００２９】
上述した通路５は、例えば、袋４の開口縁部を外側に折り曲げて形成された折り曲げ部Ｍと、この折り曲げ部Ｍに対向する袋４の対向部位とを接着して形成される。接着部位は、袋４の開口縁部の略全周に亘って設けても良いが、一カ所でも良い。この通路４に帯状部材６を挿入する帯状部材挿入口４ａと帯状部材６を外部へ導く帯状部材出口４ｂを設けている。通路５の中途に帯状部材６の一端を外方に導く帯状部材中途出口４ｃを設けている。これは、通路５内に帯状部材６を入れ易くするためのものである。
また、通路５は、例えば、後述するように、袋４の開口縁部を外側に折り曲げて形成された折り曲げ部Ｍと、この折り曲げ部Ｍに対向する袋４の対向部位との間で形成されるようにしても良い（つまり、折り曲げ部Ｍに対向する袋４の対向部位とを接着しなくても良い。）。この通路４に帯状部材６を挿入する帯状部材挿入口４ａと帯状部材６を外部へ導く帯状部材出口４ｂを設けている。通路５の中途に帯状部材６の一端を外方に導く帯状部材中途出口４ｃを設けている。これは、通路５内に帯状部材６を入れ易くするためのものである。
このようにして、通路５内に帯状部材６を設けることにより、簡易に糞収納袋６を作ることができる。
【００３０】
次に、図４及び図５を参照して、他の実施例の糞収納袋Ｐを説明する。
糞収納袋Ｐは、図４（ａ）に示すように、袋４と、この袋４の開口縁部を外側に折り曲げて形成された折り曲げ部Ｍと、袋４の外側であって折り曲げ部Ｍの内側に位置する帯状部材６とを備えている。
通路５は、袋４の開口縁部を外側に折り曲げて形成された折り曲げ部Ｍと、この折り曲げ部Ｍに対向する袋４の対向部位との間で形成されている。
また、通路４には、帯状部材６を挿入する帯状部材挿入口４ａと帯状部材６を外部へ導く帯状部材出口４ｂを設けている。
また、通路５の中途に帯状部材６の一端を外方に導く帯状部材中途出口（図示せず）を設けている。これは、通路５内に帯状部材６を入れ易くするためのものである。
【００３１】
そして、帯状部材６の一方の端部６Ａより他方の端部６Ｂに近い側にあって、帯状部材６にスリット６１（スリット６１は、例えば、本実施例では、帯状部材６の長手方向に平行に設けているが、斜めに設けても良いし、帯状部材６の長手方向に対して直角に設けても良い。）が設けられ、このスリット６１に帯状部材６の一方の端部６Ａを通し、帯状部材６の一方の端部６Ａを引っ張り、この引っ張りを解除した位置で帯状部材６がスリット６１に摩擦により係止するものであり、帯状部材６により保持された袋４の開口部４１をペット５の糞の落下予想位置（ペットの肛門の下方）に置き、袋４に糞が収納された後、袋４の開口部４１が閉じるように帯状部材６の一方の端部６Ａを引っ張り、この引っ張りを解除した位置で帯状部材６をスリット６１に摩擦により係止させるものである。回収後は、一方の端部６Ａを手に持つことができる。
【００３２】
この糞収納袋Ｐによれば、帯状部材６により保持された糞収納袋４の開口部４１［図４（ａ）  図５（ａ）］をペット５の糞の落下予想位置（ペットの肛門の下方）に置き、糞を袋４内に回収することができるため、糞の落下場所を汚さないで、糞を回収して使用勝手の良好な糞収納袋Ｐを得ることができる。
そして、糞収納袋４に糞が収納された後、糞収納袋４の開口部４１が閉じるように帯状部材６の一方の端部６Ａを引っ張り、この引っ張りを解除した位置でスリット６１に帯状部材６を摩擦により係止させる［図４（ｂ）  図５（ｂ）］ため、糞を簡易且つ迅速に回収することができる。
【００３３】
上述した糞収納袋４にあっては、袋４のみ一枚使用したが、本願発明にあっては、これに限らず、袋４、袋４の内側に紙製の袋（図示せず）と２枚使用しても良い。
【００３４】
糞収納袋Ｐは、袋４と、この袋４の内側に位置した紙製の袋（図示せず）と、袋４及び紙製の袋（図示せず）の開口縁部を外側に折り曲げて形成された折り曲げ部Ｍと、袋４の外側であって折り曲げ部Ｍの内側に位置する帯状部材６とを備えている。
【００３５】
帯状部材６の一方の端部６Ａより他方の端部６Ｂに近い側にあって、帯状部材６にスリット６１（スリット６１は、例えば、本実施例では、帯状部材６の長手方向に平行に設けているが、斜めに設けても良いし、帯状部材６の長手方向に対して直角に設けても良い。）が設けられ、帯状部材６の一方の端部６Ａをスリット６１に通し、帯状部材６の一方の端部６Ａを引っ張り、この引っ張りを解除した位置で帯状部材６がスリット６１に摩擦により係止するものであり、帯状部材６により保持された袋４及び紙製の袋（図示せず）の開口部４１［図４（ａ）  図５（ａ）］をペット（図示せず）の糞の落下予想位置（ペットの肛門の下方）に置き、紙製の袋（図示せず）に糞が収納された後、袋４及び紙製の袋（図示せず）の開口部４１が閉じるように帯状部材６の一方の端部６Ａを引っ張り［図４（ｂ）  図５（ｂ）］、この引っ張りを解除した位置で帯状部材６をスリット６１に摩擦により係止させるものである［図４（ｂ）  図５（ｂ）］。回収後は、一方の端部６Ａを手に持つことができる。
【００３６】
この糞収納袋Ｐによれば、帯状部材６により保持された糞収納袋４及び紙製の袋（図示せず）の開口部４１［図４（ａ）］をペット（図示せず）の糞の落下予想位置（ペットの肛門の下方）に置き、糞を袋４内に回収することができるため、糞の落下場所を汚さないで、糞を回収して使用勝手の良好な糞収納袋Ｐを得ることができる。
そして、紙製の袋（図示せず）に糞が収納された後、糞収納袋４及び紙製の袋（図示せず）の開口部４１が閉じるように帯状部材６の一方の端部６Ａを引っ張り、この引っ張りを解除した位置で帯状部材６をスリット６１に摩擦により係止させる［図４（ｂ）］ため、糞を簡易且つ迅速に回収することは勿論のこと、糞の回収後、 袋４から糞が入った紙製の袋（図示せず）を簡易且つ迅速に分離することができ、場合によっては、糞が入った紙製の袋（図示せず）をトイレに流して処理することができる。
【００３７】
また、上述した実施例においては、糞を袋内に回収することができる糞収納袋について説明したが、本願発明は、これに限らず、乗り物酔い、体調不良時の嘔吐物を収納することができる嘔吐袋にも同様に適用できるものである。
即ち、嘔吐袋は、図１乃至図５記載のものと同様に、袋４と、この袋４の開口縁部に沿って形成された通路５と、この通路５に設けた帯状部材６とを備え、帯状部材６で袋４の開口部を保持するようにしている。この嘔吐袋によれば、帯状部材６により保持された袋４の開口部を口にあてがって、嘔吐物を袋４内に回収することができる使用勝手の良好な嘔吐袋を得ることができる。
【符号の説明】
【００３８】
Ｐ      糞収納袋
４      袋
５      通路
６      帯状部材
【図１】
2019092399.tif 000003
【図２】
2019092399.tif 000004
【図３】
2019092399.tif 000005
【図４】
2019092399.tif 000006
【図５】
2019092399.tif 000007
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
袋と、
この袋の開口縁部に沿って形成された通路と、
この通路に設けた帯状部材とを備え、
前記帯状部材で前記袋の開口部を保持する
ことを特徴とする糞収納袋。
【請求項２】
袋の開口縁部を外側に折り曲げて形成された折り曲げ部と、この折り曲げ部に対向する前記袋の対向部位との間で通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項３】
袋の開口縁部を外側に折り曲げて形成された折り曲げ部と、この折り曲げ部に対向する前記袋の対向部位とを接着して通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項４】
通路の中途に帯状部材の一端を外方に導く帯状部材中途出口を設けた
ことを特徴とする請求項２又は請求項３記載の糞収納袋。
【請求項５】
帯状部材は結束バンドであり、
前記結束バンドは、前記結束バンドの挿通を許容するが、逆方向への動きを禁止する係止爪を有するものか、
又は、
前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
請求項１〜請求項４の何れかに記載の糞収納袋。
【請求項６】
袋と、
この袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側に設けられ、前記帯状部材にスリットが設けられ、
前記帯状部材の一方の端部をこのスリットに通し、前記帯状部材の一方の端部を引っ張り、この引っ張りを解除した位置で前記帯状部材が前記スリットに摩擦により係止するものであり、
前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記スリットに摩擦により係止させる
ことを特徴とする糞収納袋。
【請求項７】
袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側にあって、前記帯状部材にスリットが設けられ、
前記帯状部材の一方の端部を前記スリットに通し、前記帯状部材の一方の端部を引っ張り、この引っ張りを解除した位置で前記帯状部材が前記スリットに摩擦により係止するものであり、
前記帯状部材により保持された前記袋及び前記紙製の袋の開口部をペットの肛門の下方位置に置き、
前記紙製の袋に糞が収納された後、前記袋及び前記紙製の袋の開口部が閉じるように前記帯状部材の一方の端部を引っ張り、この引っ張りを解除した位置で前記スリットに前記帯状部材を摩擦により係止させる
ことを特徴とする糞収納袋。
【手続補正３】
【補正対象書類名】明細書
【補正対象項目名】０００１
【補正方法】変更
【補正の内容】
【０００１】
本発明は、糞収納袋に係り、特に、使用勝手が向上した糞収納袋に関する。
【手続補正４】
【補正対象書類名】明細書
【補正対象項目名】０００５
【補正方法】変更
【補正の内容】
【０００５】
本発明は、上記問題点を考慮してなされた使用勝手が向上した糞収納袋を提供することを目的とする。
【手続補正５】
【補正対象書類名】明細書
【補正対象項目名】００２７
【補正方法】変更
【補正の内容】
【００２７】
本発明の一実施例の糞収納袋を図面（図１乃至図３）を参照して説明する。
図１に示すＰは、袋４と、この袋４の開口縁部に沿って形成された通路（例えば、環状の通路又は、帯状部材収納部）５と、この通路５に設けた帯状部材６とを備えている。
そして、帯状部材６で袋４の開口部を保持している（図２及び図３参照）。例えば、図２に示すように、通路５より外側に位置する帯状部材６の部位（例えば、６Ａ）を手で把持することができる。
帯状部材６は、例えば、ポリプロピレン樹脂等で形成された梱包等で使用される包装バンド（ＰＰバンド）、結束バンド等である。
なお、結束バンドは、前記結束バンドの挿通を許容するが、逆方向への動きを禁止する係止爪を有するもの、 又は、前記結束バンドの挿通を許容するが、逆方向への動きを禁止する係止爪を有したロック機能を備えると共に、前記ロック機能を解除して前記逆方向の移動を許容するロック解除機能を備えるものであり、前記結束バンドは、市販の結束バンドを利用することができる。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
開口部を有した袋と、
この袋の開口縁部に沿って形成された通路と、
この通路に設けた帯状部材とを備え、
前記袋に糞が収納される前にあっては、前記帯状部材で前記袋の開口部を保持する
ことを特徴とする糞収納袋。
【請求項２】
袋の開口縁部を外側に折り曲げて形成された折り曲げ部と、この折り曲げ部に対向する前記袋の対向部位との間で通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項３】
袋の開口縁部を外側に折り曲げて形成された折り曲げ部と、この折り曲げ部に対向する前記袋の対向部位とを接着して通路は形成され、
前記通路に帯状部材を挿入する帯状部材挿入口と前記帯状部材を外部へ導く帯状部材出口を設け、
前記通路より外側に位置する前記帯状部材の部位を手で把持する
ことを特徴とする請求項１記載の糞収納袋。
【請求項４】
通路の中途に帯状部材の一端を外方に導く帯状部材中途出口を設けた
ことを特徴とする請求項２又は請求項３記載の糞収納袋。
【請求項５】
帯状部材は結束バンドであり、
前記結束バンドは、前記結束バンドの挿通を許容するが、逆方向への動きを禁止する係止爪を有するものか、
又は、
前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
請求項１〜請求項４の何れかに記載の糞収納袋。
【請求項６】
開口部を有した袋と、
この袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側に設けられ、前記帯状部材に前記帯状部材の長手方向に平行又は斜めに単一のスリットが設けられ、
前記帯状部材の一方の端部をこの単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させる
ことを特徴とする糞収納袋。
【請求項７】
開口部を有した袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側にあって、前記帯状部材に前記帯状部材の長手方向に平行又は斜めに単一のスリットが設けられ、
前記帯状部材の一方の端部を前記単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させる
ことを特徴とする糞収納袋。
【手続補正２】
【補正対象書類名】明細書
【補正対象項目名】０００６
【補正方法】変更
【補正の内容】
【０００６】
請求項１記載の糞収納袋は、開口部を有した袋と、この袋の開口縁部に沿って形成された通路と、この通路に設けた帯状部材とを備え、前記袋に糞が収納される前にあっては、前記帯状部材で前記袋の開口部を保持するものである。
【手続補正３】
【補正対象書類名】明細書
【補正対象項目名】００１１
【補正方法】変更
【補正の内容】
【００１１】
また、請求項６記載の糞収納袋は、開口部を有した袋と、この袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側に設けられ、前記帯状部材に前記帯状部材の長手方向に平行又は斜めに単一のスリットが設けられ、前記帯状部材の一方の端部をこの単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させるものである。
【手続補正４】
【補正対象書類名】明細書
【補正対象項目名】００１２
【補正方法】変更
【補正の内容】
【００１２】
また、請求項７記載の糞収納袋は、開口部を有した袋と、この袋の内側に位置した紙製の袋と、前記袋及び前記紙製の袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側にあって、前記帯状部材に前記帯状部材の長手方向に平行又は斜めに単一のスリットが設けられ、前記帯状部材の一方の端部を前記単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させるものである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
開口部を有した袋と、
この袋の開口縁部に沿って形成された通路と、
この通路に設けた帯状部材とを備え、
前記袋に糞が収納される前にあっては、前記帯状部材で前記袋の開口部を保持するものであり、
前記袋の開口縁部を外側に折り曲げて形成された折り曲げ部と、この折り曲げ部に対向する前記袋の対向部位との間で通路は形成され、
前記通路に前記帯状部材を挿入する帯状部材挿入口と前記帯状部材を外部へ導く帯状部材出口を設け、
前記通路より外側に位置する前記帯状部材の部位を手で把持する
ことを特徴とする糞収納袋。
【請求項２】
開口部を有した袋と、
この袋の開口縁部に沿って形成された通路と、
この通路に設けた帯状部材とを備え、
前記袋に糞が収納される前にあっては、前記帯状部材で前記袋の開口部を保持するものであり、
前記袋の開口縁部を外側に折り曲げて形成された折り曲げ部と、この折り曲げ部に対向する前記袋の対向部位とを接着して通路は形成され、
前記通路に前記帯状部材を挿入する帯状部材挿入口と前記帯状部材を外部へ導く帯状部材出口を設け、
前記通路より外側に位置する前記帯状部材の部位を手で把持する
ことを特徴とする糞収納袋。
【請求項３】
通路の中途に帯状部材の一端を外方に導く帯状部材中途出口を設けた
ことを特徴とする請求項１又は請求項２記載の糞収納袋。
【請求項４】
帯状部材は結束バンドであり、
前記結束バンドは、前記結束バンドの挿通を許容するが、逆方向への動きを禁止する係止爪を有するものか、
又は、
前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
請求項１〜請求項３の何れかに記載の糞収納袋。
【請求項５】
開口部を有した袋と、
この袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側に設けられ、前記帯状部材に前記帯状部材の長手方向に平行又は斜めに単一のスリットが設けられ、
前記帯状部材の一方の端部をこの単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させる
ことを特徴とする糞収納袋。
【請求項６】
開口部を有した袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側にあって、前記帯状部材に前記帯状部材の長手方向に平行又は斜めに単一のスリットが設けられ、
前記帯状部材の一方の端部を前記単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させる
ことを特徴とする糞収納袋。
【手続補正２】
【補正対象書類名】明細書
【補正対象項目名】０００６
【補正方法】変更
【補正の内容】
【０００６】
請求項１記載の糞収納袋は、開口部を有した袋と、この袋の開口縁部に沿って形成された通路と、この通路に設けた帯状部材とを備え、前記袋に糞が収納される前にあっては、前記帯状部材で前記袋の開口部を保持するものであり、前記袋の開口縁部を外側に折り曲げて形成された折り曲げ部と、この折り曲げ部に対向する前記袋の対向部位との間で通路は形成され、前記通路に前記帯状部材を挿入する帯状部材挿入口と前記帯状部材を外部へ導く帯状部材出口を設け、前記通路より外側に位置する前記帯状部材の部位を手で把持するものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２記載の糞収納袋は、開口部を有した袋と、この袋の開口縁部に沿って形成された通路と、この通路に設けた帯状部材とを備え、前記袋に糞が収納される前にあっては、前記帯状部材で前記袋の開口部を保持するものであり、前記袋の開口縁部を外側に折り曲げて形成された折り曲げ部と、この折り曲げ部に対向する前記袋の対向部位とを接着して通路は形成され、前記通路に前記帯状部材を挿入する帯状部材挿入口と前記帯状部材を外部へ導く帯状部材出口を設け、前記通路より外側に位置する前記帯状部材の部位を手で把持するものである。
【手続補正５】
【補正対象書類名】明細書
【補正対象項目名】０００９
【補正方法】変更
【補正の内容】
【０００９】
また、請求項３記載の糞収納袋は、請求項１又は請求項２記載の糞収納袋において、通路の中途に帯状部材の一端を外方に導く帯状部材中途出口を設けたものである。
【手続補正６】
【補正対象書類名】明細書
【補正対象項目名】００１０
【補正方法】変更
【補正の内容】
【００１０】
また、請求項４記載の糞収納袋は、請求項１〜請求項３の何れかに記載の糞収納袋において、帯状部材は結束バンドであり、前記結束バンドは、前記結束バンドの挿通を許容するが、逆方向への動きを禁止する係止爪を有するものか、又は、前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
【手続補正７】
【補正対象書類名】明細書
【補正対象項目名】００１１
【補正方法】変更
【補正の内容】
【００１１】
また、請求項５載の糞収納袋は 開口部を有した袋と、この袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側に設けられ、前記帯状部材に前記帯状部材の長手方向に平行又は斜めに単一のスリットが設けられ、前記帯状部材の一方の端部をこの単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させるものである。
【手続補正８】
【補正対象書類名】明細書
【補正対象項目名】００１２
【補正方法】変更
【補正の内容】
【００１２】
また、請求項６載の糞収納袋は、開口部を有した袋と、この袋の内側に位置した紙製の袋と、前記袋及び前記紙製の袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側にあって、前記帯状部材に前記帯状部材の長手方向に平行又は斜めに単一のスリットが設けられ、前記帯状部材の一方の端部を前記単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させるものである。
【手続補正９】
【補正対象書類名】明細書
【補正対象項目名】００１６
【補正方法】変更
【補正の内容】
【００１６】
請求項１、２記載の糞収納袋によれば、帯状部材により保持された袋の開口部をペットの糞の落下予想位置（ペットの肛門の下方）に置き、糞を袋内に回収することができるため、糞の落下場所を汚さないで、糞を回収して使用勝手の良好な糞収納袋を得ることができる。
【手続補正１０】
【補正対象書類名】明細書
【補正対象項目名】００１７
【補正方法】変更
【補正の内容】
【００１７】
また、請求項１記載の糞収納袋によれば、袋の開口縁部を外側に折り曲げて形成された折り曲げ部と、この折り曲げ部に対向する前記袋の対向部位との間で通路は形成され、前記通路に帯状部材を挿入する帯状部材挿入口と前記帯状部材を外部へ導く帯状部材出口を設けたため、簡易に糞収納袋を作ることができ、しかも、通路より外側に位置する帯状部材の部位を手で把持するため、帯状部材によりペットの糞の落下予想位置を確保でき、使用勝手を向上させることができる。
【手続補正１１】
【補正対象書類名】明細書
【補正対象項目名】００１８
【補正方法】変更
【補正の内容】
【００１８】
また、請求項２記載の糞収納袋によれば、袋の開口縁部を外側に折り曲げて形成された折り曲げ部と、この折り曲げ部に対向する前記袋の対向部位とを接着して通路は形成され、前記通路に帯状部材を挿入する帯状部材挿入口と前記帯状部材を外部へ導く帯状部材出口を設けたため、簡易に糞収納袋を作ることができ、しかも、通路より外側に位置する帯状部材の部位を手で把持するため、帯状部材によりペットの糞の落下予想位置を確保でき、使用勝手を向上させることができる。
【手続補正１２】
【補正対象書類名】明細書
【補正対象項目名】００１９
【補正方法】変更
【補正の内容】
【００１９】
また、請求項３記載の糞収納袋によれば、上述した請求項１又は請求項２記載の発明の効果に加え、通路の中途に帯状部材の一端を外方に導く帯状部材中途出口を設けたため、通路内に帯状部材を容易に設けることができる。
【手続補正１３】
【補正対象書類名】明細書
【補正対象項目名】００２０
【補正方法】変更
【補正の内容】
【００２０】
また、請求項４記載の糞収納袋によれば、上述した請求項１〜請求項３の何れかに記載の発明の効果に加え、締め付けのみの市販の結束バンド、又は、締め付けたり、開放状態にしたりすることが可能な市販の結束バンドを利用して、簡易に糞収納袋を作ることができる。
【手続補正１４】
【補正対象書類名】明細書
【補正対象項目名】００２１
【補正方法】変更
【補正の内容】
【００２１】
また、請求項５記載の糞収納袋によれば、帯状部材により保持された袋の開口部をペットの糞の落下位置に置き、袋に糞が収納された後、袋の開口部が閉じるように前記帯状部材の一方の端部を引っ張り、この引っ張りを解除した位置で前記スリットに前記帯状部材を摩擦により係止させるため、糞の落下場所を汚さないで、糞を回収して使用勝手の良好な糞収納袋を得ることができる。
【手続補正１５】
【補正対象書類名】明細書
【補正対象項目名】００２２
【補正方法】変更
【補正の内容】
【００２２】
また、請求項６記載の糞収納袋によれば、帯状部材により保持された袋及び紙製の袋の開口部をペットの肛門の下方（ペットの糞の落下予想位置）に置き、紙製の袋に糞が収納された後、袋及び紙製の袋の開口部が閉じるように帯状部材の一方の端部を引っ張り、この引っ張りを解除した位置で帯状部材をスリットに摩擦により係止させるため、糞の落下場所を汚さないで、糞を回収して使用勝手の良好な糞収納袋を得ることができることは勿論のこと、糞の回収後、 袋から糞が入った紙製の袋を簡易且つ迅速に分離することができ、場合によっては、糞が入った紙製の袋をトイレに流して処理することができる使用勝手の良好な糞収納袋を得ることができる。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
開口部を有した袋と、
この袋の開口縁部に沿って形成された通路と、
この通路に設けた帯状部材とを備え、
前記袋に糞が収納される前にあっては、前記帯状部材で前記袋の開口部を保持するものであり、
前記袋の開口縁部を外側に折り曲げて形成された折り曲げ部と、この折り曲げ部に対向する前記袋の対向部位との間で通路は形成され、
前記通路に前記帯状部材を挿入する帯状部材挿入口と前記帯状部材を外部へ導く帯状部材出口を設け、
前記通路より外側に位置する前記帯状部材の部位を手で把持する
ことを特徴とする糞収納袋。
【請求項２】
開口部を有した袋と、
この袋の開口縁部に沿って形成された通路と、
この通路に設けた帯状部材とを備え、
前記袋に糞が収納される前にあっては、前記帯状部材で前記袋の開口部を保持するものであり、
前記袋の開口縁部を外側に折り曲げて形成された折り曲げ部と、この折り曲げ部に対向する前記袋の対向部位とを接着して通路は形成され、
前記通路に前記帯状部材を挿入する帯状部材挿入口と前記帯状部材を外部へ導く帯状部材出口を設け、
前記通路より外側に位置する前記帯状部材の部位を手で把持する
ことを特徴とする糞収納袋。
【請求項３】
通路の中途に帯状部材の一端を外方に導く帯状部材中途出口を設けた
ことを特徴とする請求項１又は請求項２記載の糞収納袋。
【請求項４】
帯状部材は結束バンドであり、
前記結束バンドは、前記結束バンドの挿通を許容するが、逆方向への動きを禁止する係止爪を有するものか、
又は、
前記結束バンドは、前記結束バンドの挿通を許容するが、逆方向への動きを禁止する係止爪を有したロック機能を備えるとともに、前記ロック機能を解除して前記逆方向の移動を許容するロック解除機能を備えるものである
請求項１〜請求項３の何れかに記載の糞収納袋。
【請求項５】
開口部を有した袋と、
この袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側に設けられ、前記帯状部材に前記帯状部材の長手方向に平行又は斜めに単一のスリットが設けられ、
前記帯状部材の一方の端部をこの単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材挿入口と前記帯状部材出口の外側に位置する前記帯状部材の部位を手で把持して、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させる
ことを特徴とする糞収納袋。
【請求項６】
開口部を有した袋と、
この袋の内側に位置した紙製の袋と、
前記袋及び前記紙製の袋の開口縁部を外側に折り曲げて形成された折り曲げ部と、
前記袋の外側であって前記折り曲げ部の内側に位置する帯状部材とを備え、
前記折り曲げ部に前記帯状部材を挿入する帯状部材挿入口と前記帯状部材を外部へ導く帯状部材出口を設け、
前記帯状部材の一方の端部より他方の端部に近い側にあって、前記帯状部材に前記帯状部材の長手方向に平行又は斜めに単一のスリットが設けられ、
前記帯状部材の一方の端部を前記単一のスリットに通し、前記帯状部材の一方の端部を引っ張り、この引っ張りを解除した位置で前記帯状部材が前記単一のスリットに摩擦により係止するものであり、
前記袋に糞が収納される前にあっては、前記単一のスリットに係止した前記帯状部材で前記袋の開口部を保持するものであり、
前記帯状部材挿入口と前記帯状部材出口の外側に位置する前記帯状部材の部位を手で把持して、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させる
ことを特徴とする糞収納袋。
【手続補正２】
【補正対象書類名】明細書
【補正対象項目名】００１１
【補正方法】変更
【補正の内容】
【００１１】
また、請求項５載の糞収納袋は、開口部を有した袋と、この袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側に設けられ、前記帯状部材に前記帯状部材の長手方向に平行又は斜めに単一のスリットが設けられ、前記帯状部材の一方の端部をこの単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材挿入口と前記帯状部材出口の外側に位置する前記帯状部材の部位を手で把持して、前記帯状部材により保持された前記袋の開口部をペットの肛門の下方位置に置き、前記袋に糞が収納された後、前記袋の開口部が閉じるように前記帯状部材の一方の端部を引っ張り、この引っ張りを解除した位置で前記帯状部材を前記単一のスリットに摩擦により係止させるものである。
【手続補正３】
【補正対象書類名】明細書
【補正対象項目名】００１２
【補正方法】変更
【補正の内容】
【００１２】
また、請求項６載の糞収納袋は、開口部を有した袋と、この袋の内側に位置した紙製の袋と、前記袋及び前記紙製の袋の開口縁部を外側に折り曲げて形成された折り曲げ部と、前記袋の外側であって前記折り曲げ部の内側に位置する帯状部材とを備え、前記折り曲げ部に前記帯状部材を挿入する帯状部材挿入口と前記帯状部材を外部へ導く帯状部材出口を設け、前記帯状部材の一方の端部より他方の端部に近い側にあって、前記帯状部材に前記帯状部材の長手方向に平行又は斜めに単一のスリットが設けられ、前記帯状部材の一方の端部を前記単一のスリットに通し、前記帯状部材の一方の端部を引っ張り、この引っ張りを解除した位置で前記帯状部材が前記単一のスリットに摩擦により係止するものであり、前記袋に糞が収納される前にあっては、前記単一のスリットに係止した前記帯状部材で前記袋の開口部を保持するものであり、前記帯状部材挿入口と前記帯状部材出口の外側に位置する前記帯状部材の部位を手で把持して、前記帯状部材により保持された前記袋及び前記紙製の袋の開口部をペットの肛門の下方位置に置き、前記紙製の袋に糞が収納された後、前記袋及び前記紙製の袋の開口部が閉じるように前記帯状部材の一方の端部を引っ張り、この引っ張りを解除した位置で前記単一のスリットに前記帯状部材を摩擦により係止させるものである。